(57)【要約】【課題】記録媒体の残量の識別精度の向上を図ること。【解決手段】自重によって鉛直方向下側に付勢されるロール状の記録媒体１０２の外周面を、当該記録媒体１０２の消費にともなって当該記録媒体１０２の中心位置が直線状の軌跡上を移動するように支持するペーパーホルダ１１０と、ペーパーホルダ１１０における側面の所定の位置に設けられ、記録媒体１０２の消費にともなってペーパーホルダ１１０の外に引き出されることによって回転する記録媒体１０２の所定の位置に対向した位置における単位時間当たりの変位量を検知する光反射型センサとを備え、光反射型センサが検知した変位量に基づいて当該光反射型センサによる検知時の記録媒体１０２の半径を算出するようにした。【選択図】図３
2010280494.tif 000002
【特許請求の範囲】
【請求項１】
自重によって鉛直方向下側に付勢されるロール状の記録媒体の外周面を、当該記録媒体の消費にともなって当該記録媒体の中心位置が直線状の軌跡上を移動するように支持する記録媒体支持部と、
前記記録媒体支持部における側面の所定の位置に設けられ、前記記録媒体の消費にともなって前記記録媒体支持部の外に引き出されることによって回転する前記記録媒体の前記所定の位置に対向した位置における単位時間当たりの変位量を検知する変位量検知手段と、
前記変位量検知手段が検知した変位量に基づいて、当該変位量検知手段による検知時の前記記録媒体の半径を算出する算出手段と、
を備えたことを特徴とするロール状記録媒体のニアエンド検出装置。
【請求項２】
前記算出手段は、前記所定の位置に対向した位置における前記記録媒体の速度を算出し、算出した速度に基づいて前記所定の位置に対向した位置と前記中心位置との距離を算出し、算出した距離と前記記録媒体の回転軸に直交する面内において前記中心位置の移動軌跡をあらわす一次式とに基づいて前記面内における前記中心位置を特定し、特定した前記中心位置に基づいて前記変位量検知手段による検知時の前記記録媒体の半径を算出することを特徴とする請求項１に記載のロール状記録媒体のニアエンド検出装置。
【請求項３】
前記算出手段が算出した前記記録媒体の半径に基づいて、前記記録媒体の残量を報知する報知手段を備えたことを特徴とする請求項１または２に記載のロール状記録媒体のニアエンド検出装置。
【請求項４】
前記記録媒体支持部から供給された前記記録媒体に対する印字をおこなう印字部と、
請求項１〜３のいずれか一つに記載のロール状記録媒体のニアエンド検出装置と、
を備えたことを特徴とするプリンタ。
【発明の詳細な説明】
【技術分野】
【０００１】
この発明は、ロール状に回巻された記録媒体の残量を検出するためのロール状記録媒体のニアエンド検出装置および当該ロール状記録媒体のニアエンド検出装置を備えたプリンタに関する。
【背景技術】
【０００２】
たとえばロール状に回巻された記録媒体に対する印字をおこなうプリンタにおいては、落とし込むようにしてセットされたロール状に回巻された記録媒体を下方から支持する、いわゆる落とし込み方式のものがあった。このようなプリンタにおいて、ロール状に回巻された記録媒体の外径寸法は、記録媒体の消費にともなって変化する。また、このようなプリンタにおいて、ロール状に回巻された記録媒体の中心の巻芯部分は、記録媒体の自重および記録媒体の消費にともなう記録媒体の外径の縮小によって、プリンタ内における位置が変化する。
【０００３】
従来、落とし込み方式のプリンタにおいては、消費にともなって所定の位置に移動した記録媒体の中心の巻芯部分に係合可能に設けられた突起部を備え、当該突起部がロール状に回巻された記録媒体の中心の巻芯部分に係合したことを検知することによって、記録媒体の残量が所定量以下になったこと、いわゆるニアエンドを検知するようにしたプリンタがあった。
【０００４】
また、従来、たとえば紙送りローラに軸の回転数を検出する手段と、感熱紙ロールの回転数を検出する手段を備え、同時に検出した両者の回転数の差から感熱紙ロールの直径を算定し、感熱紙ロールの残量を検知するようにした技術があった（たとえば、下記特許文献１を参照。）。
【０００５】
ニアエンドを検知する技術としては、従来、たとえばロール紙繰り出し時におけるロール体の所定回転数または所定角度分の回転に要した回転時間を検出する手段と、ロール体の所定回転数または所定角度分の回転時のロール紙繰り出し量を検出する手段と、回転時間およびロール紙繰り出し量から検出時点でのロール体の径を算出して紙残量情報を得る演算処理手段と、を設けたものがあった（たとえば、下記特許文献２を参照。）。
【０００６】
また、従来、たとえば一定の速度で引き出されるロール紙の中心軸であるロール紙固定軸の回転速度を、スリット板およびセンサにて発生するパルス間隔の測定により算出し、そのパルスの時間間隔を一定の基準と比較することによりロール紙の用紙切れ時期の検知をおこなうようにした技術があった（たとえば、下記特許文献３を参照。）。
【０００７】
また、従来、たとえばローラにより押圧されつつ移送されるロール状の用紙の残量を表示する用紙残量表示方式において、ロール状用紙軸の回転角度を検出して出力する軸回転角度検出部と、移送用紙を押圧して回転するローラの回転量を用紙の移送量として出力する送量計測部と、軸回転角度検出部および送量計測部それぞれの出力値を入力して用紙の残量を演算して出力する残量演算部とを備え、この残量演算部の出力値を入力して残量表示部において表示するようにした技術があった（たとえば、下記特許文献４を参照。）。
【先行技術文献】
【特許文献】
【０００８】
【特許文献１】特開平５−１６４９９号公報
【特許文献２】実開昭６２−１３６４５３号公報
【特許文献３】特開平５−３３８３３５号公報
【特許文献４】特開平３−７３７４６号公報
【発明の概要】
【発明が解決しようとする課題】
【０００９】
しかしながら、上述した特許文献１を含む従来の技術では、記録媒体の残量が所定量以下になったことは検知できるが、具体的な残量を把握することができないという問題があった。このため、たとえば繁忙中にニアエンドが報知されたために新しい記録媒体への交換をおこなわずに印字を継続した場合、実際の残量がどの程度であるかが分からなくなってしまい、印字中に記録媒体が不足してしまったりする問題があった。
【００１０】
また、上述した特許文献２〜４に記載された従来の技術は、記録媒体が定位置で回転する、すなわち中心位置が固定された状態の記録媒体の残量を検知するものであり、投げ込み方式のプリンタにおける記録媒体の残量を精度よく案内することができないという問題があった。
【００１１】
この発明は、上述した従来技術による問題点を解消するため、記録媒体の残量の識別精度の向上を図ることができるロール状記録媒体のニアエンド検出装置およびプリンタを提供することを目的とする。
【課題を解決するための手段】
【００１２】
上述した課題を解決し、目的を達成するため、この発明にかかるロール状記録媒体のニアエンド検出装置は、自重によって鉛直方向下側に付勢されるロール状の記録媒体の外周面を、当該記録媒体の消費にともなって当該記録媒体の中心位置が直線状の軌跡上を移動するように支持する記録媒体支持部と、前記記録媒体支持部における側面の所定の位置に設けられ、前記記録媒体の消費にともなって前記記録媒体支持部の外に引き出されることによって回転する前記記録媒体の前記所定の位置に対向した位置における単位時間当たりの変位量を検知する変位量検知手段と、前記変位量検知手段が検知した変位量に基づいて、当該変位量検知手段による検知時の前記記録媒体の半径を算出する算出手段と、を備えたことを特徴とする。
【００１３】
この発明によれば、消費にともなって記録媒体支持部において回転する記録媒体の所定の位置における変位量に基づいて、当該変位量の検知時における記録媒体の半径を正確に算出することができる。
【００１４】
また、この発明にかかるロール状記録媒体のニアエンド検出装置は、上記の発明において、前記算出手段が、前記所定の位置に対向した位置における前記記録媒体の速度を算出し、算出した速度に基づいて前記所定の位置に対向した位置と前記中心位置との距離を算出し、算出した距離と前記記録媒体の回転軸に直交する面内において前記中心位置の移動軌跡をあらわす一次式とに基づいて前記面内における前記中心位置を特定し、特定した前記中心位置に基づいて前記変位量検知手段による検知時の前記記録媒体の半径を算出することを特徴とする。
【００１５】
この発明によれば、記録媒体支持部を、記録媒体の消費にともなって当該記録媒体の中心位置が直線状の軌跡をなすように構成することによって、流動的要素となる変位量を検知するだけで当該変位量の検知時における記録媒体の半径を正確に算出することができる。
【００１６】
また、この発明にかかるロール状記録媒体のニアエンド検出装置は、上記の発明において、前記算出手段が算出した前記記録媒体の半径に基づいて、前記記録媒体の残量を報知する報知手段を備えたことを特徴とする。
【００１７】
この発明によれば、精度良く識別した記録媒体の残量を報知することができる。これによって、プリンタの利用者に対して、記録媒体の残量を精度よく把握させることができる。
【００１８】
また、この発明にかかるプリンタは、前記記録媒体支持部から供給された前記記録媒体に対する印字をおこなう印字部と、上記のロール状記録媒体のニアエンド検出装置と、を備えたことを特徴とする。
【００１９】
この発明によれば、精度よく残量の判定がなされた記録媒体に対して印字をおこなうことができるので、たとえば記録媒体の残量と印字量との関係やプリンタの使用状況（忙しいかどうか、など）に応じて適切なタイミングでの記録媒体の交換作業を支援することができる。
【００２０】
これによって、印字の途中で記録媒体が不足する事態を発生させたり、繁忙中に他の業務に優先させて記録媒体の交換をおこなったりさせることを回避し、記録媒体の交換を含む各種作業を効率よくおこなわせることができる。
【発明の効果】
【００２１】
本発明にかかるロール状記録媒体のニアエンド検出装置およびプリンタによれば、記録媒体の残量の識別精度の向上を図ることができるという効果を奏する。
【図面の簡単な説明】
【００２２】
【図１】この発明にかかる実施の形態のプリンタの概略構成の一例を示す説明図である。
【図２】この発明にかかる実施の形態のプリンタの機能的構成を示す説明図である。
【図３】この発明にかかる実施の形態のプリンタにおける記録媒体の残量の算出方法を示す説明図である。
【発明を実施するための形態】
【００２３】
以下に添付図面を参照して、この発明にかかるロール状記録媒体のニアエンド検出装置およびプリンタの好適な実施の形態を詳細に説明する。
【００２４】
（実施の形態）
まず、この発明にかかる実施の形態のプリンタ装置について説明する。図１は、この発明にかかる実施の形態のプリンタの概略構成の一例を示す説明図である。図１において、この発明にかかる実施の形態のプリンタ１００は、ペーパーホルダ１１０と、印字部１２０と、カッタ部１３０と、を備えている。
【００２５】
ペーパーホルダ１１０と印字部１２０、および、印字部１２０とカッタ部１３０とは、記録媒体搬送経路１０１を介して連通されている。ペーパーホルダ１１０、印字部１２０およびカッタ部１３０は、記録媒体搬送経路１０１に沿って上流側から下流側に向かって、ペーパーホルダ１１０、印字部１２０、カッタ部１３０の順に配列されている。
【００２６】
ペーパーホルダ１１０は、記録媒体１０２を支持する。記録媒体１０２は、長尺状をなし、巻芯の周囲において長手方向の一端側から回巻されたロール状をなしている。そして、記録媒体１０２は、ロール状に回巻された状態で、プリンタ１００が備えたペーパーホルダ１１０に支持される。ペーパーホルダ１１０は、ロール状に回巻された記録媒体１０２の外周部を支持する。
【００２７】
ペーパーホルダ１１０に収納されたロール状に回巻された記録媒体１０２は、たとえば印字などの記録媒体１０２の消費に際して、外周側からペーパーホルダ１１０の外へ引き出される。このため、ロール状に回巻された記録媒体１０２は、消費にともなって外径寸法が小さくなる。
【００２８】
ペーパーホルダ１１０は、ロール状に回巻された記録媒体１０２が当該記録媒体１０２の消費にともなって自重によって移動することが可能な状態で、記録媒体１０２を支持する。ペーパーホルダ１１０に支持されているロール状に回巻された記録媒体１０２は、当該記録媒体１０２の消費にともなって外径寸法が小さくなるにつれて、ペーパーホルダ１１０内を鉛直方向下側に向かって移動する。ペーパーホルダ１１０の構成については、説明を後述する。
【００２９】
プリンタ１００は、ペーパーホルダ１１０に支持された、ロール状に回巻された記録媒体１０２の残量を検知（検出）するロール状記録媒体のニアエンド検出装置（以下「ニアエンド検出装置」という）を備えている。ニアエンド検出装置は、ペーパーホルダ１１０に収納された、ロール状に回巻された記録媒体１０２の側面の単位時間当たりの変位量を検知するセンサを備え、当該センサによる検知結果に基づいて記録媒体１０２の残量を算出する。
【００３０】
ニアエンド検出装置が備えるセンサは、たとえば光反射型センサ（図２における符号２０９を参照）によって実現することができる。具体的には、ニアエンド検出装置が備える光反射型センサは、たとえばペーパーホルダ１１０に支持されたロール状に回巻された記録媒体１０２の側面に対して照射する光を発光する発光素子と、記録媒体１０２の側面からの反射光を受光する受光素子と、によって構成することができる。発光素子は、たとえばＬＥＤやレーザ光源などの光源（図２における符号２０９ａを参照）を用いることができる。受光素子は、具体的には、たとえばイメージセンサ（図２における符号２０９ｂを参照）を用いることができる。
【００３１】
このような構成をなす光反射型センサは、光源からペーパーホルダ１１０に支持されたロール状に回巻された記録媒体１０２の側面に対して光を照射し、記録媒体１０２の側面からの反射光をイメージセンサによって読み取る。この光反射型センサにおいては、たとえばイメージセンサが画像を読み取る時間間隔（フレームレート）が、たとえば１秒間当たりに数百〜数千回読み取るように設定することができる。ニアエンド検出装置による残量の算出方法については説明を後述する。
【００３２】
印字部１２０は、ペーパーホルダ１１０から搬送されてきた記録媒体１０２に対して、文字などの印字をおこなう。印字部１２０は、文字を印字するものに限らず、記号や所定のロゴマークやその他の画像など、文字以外を印字することができる。印字部１２０における印字方式は、たとえばサーマル方式とすることができる。
【００３３】
たとえばサーマル方式の印字をおこなう印字部１２０は、サーマル方式のプリントヘッド（サーマルヘッド）１２１とプラテン１２２とによって構成することができる。プリントヘッド１２１およびプラテン１２２は、記録媒体搬送経路１０１を間にして対向配置されている。
【００３４】
具体的には、サーマル方式のプリントヘッド（サーマルヘッド）１２１は、たとえば記録媒体１０２の幅方向にライン状に配列された複数の発熱素子を備え、各発熱素子に対して選択的に通電し、各発熱素子を選択的に発熱させることによって文字などの印字をおこなう。
【００３５】
このように、サーマル方式の印字をおこなう印字部１２０を備えたプリンタ１００においては、感熱発色性を備えた記録媒体１０２を用いる。サーマル方式のプリントヘッド１２１および当該プリントヘッド１２１の制御方法については、公知の各種技術を用いて容易に実現可能であるため説明を省略する。
【００３６】
プラテン１２２は、印字に際してプリントヘッド１２１によって印字圧が加えられる記録媒体１０２を、記録媒体搬送経路１０１を間にしてプリントヘッド１２１とは反対側から支持する。この実施の形態において、プラテン１２２は、プリントヘッド１２１により印字がなされる記録媒体１０２を搬送する機能を備えている。
【００３７】
記録媒体１０２を搬送する機能を備えたプラテン１２２は、たとえば記録媒体１０２の搬送方向（図１における紙面表裏方向）を軸心方向とする略円柱形状をなす部材によって実現することができる。このようなプラテン１２２は、図示を省略するギアなどを介してモータなどの駆動源に連結されている。
【００３８】
この実施の形態において、プラテン１２２はプラテン用のモータ（図２における符号２０７を参照）から伝達された駆動力を受けて回転し、回転することによって記録媒体１０２を搬送する。記録媒体１０２を搬送する機能は、プラテン１２２が備えるものに限らず、記録媒体搬送経路１０１中に１あるいは複数の搬送ローラを設け、この搬送ローラによって実現するようにしてもよい。
【００３９】
カッタ部１３０は、記録媒体搬送経路１０１において、印字部１２０よりも記録媒体１０２の搬送方向の下流側において、印字部１２０を通過した記録媒体１０２を任意の長さでカットする。カッタ部１３０は、固定刃１３１と可動刃１３２とを備えている。固定刃１３１は、位置が固定されている。可動刃１３２は、記録媒体搬送経路１０１を間にして固定刃１３１に対向する位置に設けられている。また、可動刃１３２は、固定刃１３１に対して接離する方向に移動可能に設けられている。
【００４０】
カッタ部１３０は、可動刃用のモータ（図２における符号２０８を参照）などの駆動源や、当該モータが発生させた駆動力を可動刃１３２に伝達する動力伝達機構（図示を省略する）などを備えている。カッタ部１３０は、固定刃１３１と可動刃１３２との間に記録媒体１０２が位置付けられている状態で、固定刃１３１に対して、モータが発生させた駆動力によって可動刃１３２を接近させることによって、固定刃１３１と可動刃１３２との間に位置付けられた記録媒体１０２をカットする。これにより、印字部１２０において印字がなされた記録媒体１０２を、任意の長さでカットすることができる。
【００４１】
また、カッタ部１３０は、記録媒体１０２を切断した後、モータが発生させた駆動力によって固定刃１３１から離反する方向に可動刃１３２を移動させ、固定刃１３１と可動刃１３２との間に隙間を形成する。この状態でプラテン１２２を回転させることによって、ペーパーホルダ１１０に支持された記録媒体１０２が記録媒体搬送経路１０１における下流側に向かって繰り出される。これにより、次回の印字が可能な状態とされる。
【００４２】
プリンタ１００は、図示を省略するケーシング内に収容されている。ケーシングは、たとえば箱形状をなすケーシング本体やケーシング本体の開口部を塞ぐプリンタカバーなどによって構成することができる。このようなケーシングは、記録媒体１０２の補充や交換に際して、ケーシング本体の開口部を開いてプリンタ１００におけるペーパーホルダ１１０が記録媒体１０２の補充や交換が可能な状態となるようにプリンタカバーが開閉可能とされている。
【００４３】
ケーシングには、プリンタ１００の利用者などによって操作された場合に、ロック機構における係合を解除するロック解除レバーなどが設けられていてもよい。ケーシングは、たとえばロック解除レバーが操作されてロック機構における係合が解除された場合に、外部に対してペーパーホルダ１１０を開放するように構成することができる。
【００４４】
プリンタカバーを開き方向に移動させ、ペーパーホルダ１１０を外部に対して開放した状態においては、ロール状に回巻された記録媒体１０２をペーパーホルダ１１０に収納したり、ペーパーホルダ１１０に収納された記録媒体１０２をペーパーホルダ１１０から取り出したりすることができる。ロック解除レバーは、たとえばペーパーホルダ１１０に収納されている記録媒体１０２の残量が少なくなり、新しい記録媒体１０２をセットする場合などに操作される。
【００４５】
このケーシングには、たとえば図示を省略する操作パネルなどを設けることができる。操作パネルは、たとえばプリンタ１００に対する各種の操作を受け付ける操作キー（図２における符号２０６を参照）、プリンタ１００の状態を示すＬＥＤランプ（図２における符号２０３を参照）およびプリンタ１００の状態を文字または記号によって示す液晶表示部（図２における符号２０４を参照）などによって構成することができる。また、ケーシングには、プリンタ１００の電源のＯＮ／ＯＦＦを切り替える電源スイッチなどを設けてもよい。
【００４６】
具体的に、ＬＥＤランプは、たとえばプリンタ１００の電源が投入されて印刷待機状態になった場合や、プリンタ１００においてエラーが発生した場合、あるいは、プリンタ１００が保持する記録媒体１０２の残量が所定以下になった場合などに、点灯または点滅する。液晶表示部は、上記のように印刷待機状態になった場合、エラーが発生した場合、あるいは、記録媒体１０２の残量が所定以下になった場合などに、各状況を案内する情報を表示して報知する。
【００４７】
また、プリンタ１００は、所定の音声を出力する音声出力装置（図２における符号２０５を参照）を備えていてもよい。音声出力装置は、プリンタ１００においてエラーが発生した場合や、プリンタ１００が保持する記録媒体１０２の残量が所定以下になった場合などに、音声ガイダンスあるいは警告音を出力し、各状況を報知する。
【００４８】
具体的には、音声出力装置は、たとえばスピーカによって実現することができる。あるいは、具体的には、音声出力装置は、たとえばブザーなどによって実現してもよい。音声出力装置については、公知の各種の技術を用いて容易に実現可能であるため、説明を省略する。
【００４９】
このようなプリンタ１００において、ペーパーホルダ１１０に収納されたロール状に回巻された記録媒体１０２は、当該記録媒体１０２をペーパーホルダ１１０から印字部１２０に向かって繰り出すようプラテン１２２が回転することによって外周側から引き出され、印字部１２０に供給される。
【００５０】
ロール状に回巻された記録媒体１０２は、外周側から引き出されることによって、外径寸法を小さくしながら、ペーパーホルダ１１０において回転する。ロール状に回巻された記録媒体１０２は、ペーパーホルダ１１０において、自重によって鉛直方向下側に付勢されているため、記録媒体１０２がロール状に回巻される軸の位置すなわち記録媒体１０２の中心位置は、外径寸法が小さくなるにともなって下方へ移動する。
【００５１】
ペーパーホルダ１１０は、記録媒体１０２の中心位置が、当該記録媒体１０２の消費にともなって直線状の軌跡上を移動するように、ロール状に回巻された記録媒体１０２を支持している。ニアエンド検出装置が備える光反射型センサは、ペーパーホルダ１１０内の記録媒体１０２がなくなるまで、当該記録媒体１０２の画像を読み取ることができる位置に設けられている。
【００５２】
ニアエンド検出装置が備える光反射型センサの位置は、ペーパーホルダ１１０内の記録媒体１０２が完全になくなるまで画像を読み取る位置に限るものではない。具体的には、ニアエンド検出装置が備える光反射型センサの位置は、たとえばロール形状をなさなくなる長さや印字に適さない長さなど、所定の長さ以下になるまで画像を読み取ることができる位置であってもよい。
【００５３】
ニアエンド検出装置は、ＬＥＤやレーザ光源からペーパーホルダ１１０に支持されたロール状に回巻された記録媒体１０２の側面に対して光を照射し、記録媒体１０２の側面からの反射光をイメージセンサによって読み取り、Ｘ軸方向およびＹ軸方向の移動量を算出する。移動量の算出方法は、たとえば所定時間ごとにイメージセンサが読み取った画像を比較し、最新の読み取り画像と直前の読み取り画像とを比較して、各画像に含まれる共通部分を検出し、最新の読み取り画像における当該共通部分が直前の読み取り画像における当該共通部分に対してどれ位ずれたかを算出する。
【００５４】
この実施の形態において、イメージセンサが画像を読み取る時間間隔（フレームレート）は、記録媒体１０２の消費にともなって記録媒体１０２が最高速度で回転した場合に、最新の読み取り画像と直前の読み取り画像とに上記の共通部分が含まれるような時間間隔とする。これによって、記録媒体１０２の残量検出を精度よくおこなうことができる。
【００５５】
イメージセンサが画像を読み取る時間間隔（フレームレート）は、１秒間当たりに読み取る回数が多いほど、単位時間当たりの記録媒体１０２の変位量を精度よく検知することができる。センサの構造および当該センサによる記録媒体１０２の単位時間当たりの変位量の検知方法については、たとえば光学式マウスの移動量算出にかかる構造および検知方法と同様であるため説明を省略する。
【００５６】
（プリンタ１００の機能的構成）
つぎに、この発明にかかる実施の形態のプリンタ１００の機能的構成について説明する。図２は、この発明にかかる実施の形態のプリンタ１００の機能的構成を示す説明図である。図２において、この発明にかかる実施の形態のプリンタ１００は、制御部２０１と、インターフェイス（Ｉ／Ｆ）２０２と、ＬＥＤランプ２０３と、液晶表示部２０４と、音声出力装置２０５と、操作キー２０６と、プラテン用のモータ２０７と、可動刃用のモータ２０８と、光反射型センサ２０９と、プリントヘッド１２１と、を備えている。
【００５７】
制御部２０１は、プリンタ１００全体の制御を司る。たとえば制御部２０１は、ＣＰＵ、ＲＯＭ、ＲＡＭなどによって構成されるマイクロコンピュータによって実現することができ、ＲＡＭをワークエリアとしながら、ＲＯＭに記憶されたプログラムをＣＰＵによって実行することによってプリンタ１００全体の制御を司る。Ｉ／Ｆ２０２は、ＰＯＳ端末などの外部装置に接続され、ＰＯＳ端末などの外部装置とプリンタ１００とのインターフェイスを司り、プリンタ１００からのデータの入出力を制御する。
【００５８】
具体的には、プリンタ１００は、たとえばＩ／Ｆ２０２を介してＰＯＳ端末などの外部装置から印字データを受信し、受信した印字データに基づいて制御部２０１によって各部を制御することによって印字動作をおこなう。また、具体的には、プリンタ１００は、たとえばプリンタ１００において異常が発生した場合は、発生した異常を示すエラー信号を、Ｉ／Ｆ２０２を介してＰＯＳ端末などの外部装置に出力する。
【００５９】
ＬＥＤランプ２０３は、制御部２０１によって制御されることによって点灯または点滅する。具体的には、ＬＥＤランプ２０３は、たとえばプリンタ１００の電源が投入されて印刷待機状態になった場合や、プリンタ１００においてエラーが発生した場合、あるいは、プリンタ１００が保持する記録媒体１０２の残量が所定以下になった場合などに、点灯または点滅する。この実施の形態においては、ＬＥＤランプ２０３によって報知手段を実現することができる。
【００６０】
液晶表示部２０４は、制御部２０１によって制御されることによって文字や記号などの情報を表示する。具体的には、液晶表示部２０４は、たとえば上記のように印刷待機状態になった場合、エラーが発生した場合、あるいは、記録媒体１０２の残量が所定以下になった場合などに、各状況を案内する文字情報などを表示する。この実施の形態においては、液晶表示部２０４によって報知手段を実現することができる。
【００６１】
音声出力装置２０５は、制御部２０１によって制御されることによって所定の音声を出力する。具体的には、音声出力装置２０５は、たとえば上記のようにプリンタ１００においてエラーが発生した場合や、プリンタ１００が保持する記録媒体１０２の残量が所定以下になった場合などに、音声ガイダンスあるいは警告音を出力する。この実施の形態においては、音声出力装置２０５によって報知手段を実現することができる。
【００６２】
プリンタ１００は、報知手段を実現するＬＥＤランプ２０３、液晶表示部２０４および音声出力装置２０５のすべてを備えているものに限らず、ＬＥＤランプ２０３、液晶表示部２０４あるいは音声出力装置２０５の一部を備える構成であってもよい。プリンタ１００が保持する記録媒体１０２の残量が所定以下になった場合、プリンタ１００が保持する記録媒体１０２の残量が所定以下になったことを示す信号をＩ／Ｆ２０２を介してＰＯＳ端末などの外部装置に出力し、プリンタ１００が保持する記録媒体１０２の残量が所定以下になったことを当該外部装置において報知出力するようにしてもよい。
【００６３】
操作キー２０６は、複数設けられ、操作されたキーに応じた信号を制御部２０１に対して出力する。プラテン用のモータ２０７や可動刃用のモータ２０８は、制御部２０１によって制御され、所定のタイミングで動作する。
【００６４】
光反射型センサ２０９は、光源２０９ａとイメージセンサ２０９ｂとを備えている。光源２０９ａは、ペーパーホルダ１１０に支持されたロール状に回巻された記録媒体１０２の側面に対して光を照射する。イメージセンサ２０９ｂは、記録媒体１０２の側面における光源２０９ａによって光が照射された箇所の画像を読み取り、読み取った画像データを制御部２０１に対して出力する。
【００６５】
制御部２０１は、光反射型センサ２０９から出力された画像データに基づいて、ペーパーホルダ１１０に支持されたロール状の記録媒体１０２の、イメージセンサ２０９ｂによる読み取り位置における単位時間当たりの変位量を算出（検知）する。この実施の形態においては、光反射型センサ２０９および制御部２０１によって変位量検知手段を実現することができる。
【００６６】
また、制御部２０１は、算出した変位量に基づいて、イメージセンサ２０９ｂによって画像を読み取った時点における、ペーパーホルダ１１０に支持されたロール状の記録媒体１０２の半径を算出する。この実施の形態においては、制御部２０１によって算出手段としての機能を実現することができる。
【００６７】
これにより、この実施の形態においては、光反射型センサ２０９および制御部２０１によってニアエンド検出装置を実現することができる。なお、制御部２０１は、ペーパーホルダ１１０に支持されたロール状の記録媒体１０２の半径に基づいて、さらに、ペーパーホルダ１１０における記録媒体１０２の残量を算出してもよい。
【００６８】
（残量の算出方法）
つぎに、この実施の形態のプリンタ１００における記録媒体１０２の残量の算出方法について説明する。図３は、この発明にかかる実施の形態のプリンタ１００における記録媒体１０２の残量の算出方法を示す説明図である。
【００６９】
図３において、記録媒体支持部としてのペーパーホルダ１１０に、ロール状に巻回された状態で収納された記録媒体１０２は、消費にともなって外径寸法が小さくなるにつれて、Ｘ−Ｙ座標系における座標（０，０）に向かって移動する。この実施の形態においては、たとえばＸ軸の方向が水平方向に平行とされ、Ｙ軸の方向が垂直方向に平行とされているものとして説明する。
【００７０】
ペーパーホルダ１１０の底面３０１は、座標（０，０）を起点とし、当該座標（０，０）からＸ軸およびＹ軸方向においてともに正方向となる方向に延出した平面によって実現されている。具体的には、ペーパーホルダ１１０の底面３０１は、座標（０，０）を起点とし、当該座標（０，０）からＸ軸に対してθ2の角度で傾斜した平面によって実現されている。
【００７１】
ペーパーホルダ１１０において、ロール状の記録媒体１０２の外周面を側方から支える壁面３０２は、座標（０，０）を起点とし、当該座標（０，０）からＹ軸方向において正方向となる方向に延出した平面によって実現されている。この実施の形態におけるペーパーホルダ１１０の壁面３０２は、Ｘ軸方向において、座標（０，０）から負方向となる方向に延出している。
【００７２】
また、ペーパーホルダ１１０の底面３０１および壁面３０２は、記録媒体１０２の消費にともなってロール状に巻回された記録媒体１０２の中心位置が直線状の軌跡上を移動するようにロール状の記録媒体１０２を支持する形状とされている。具体的には、この実施の形態におけるペーパーホルダ１１０の底面３０１および壁面３０２は、記録媒体１０２の消費にともなって、ロール状の記録媒体１０２の中心位置が座標（０，０）を通り、Ｘ軸に対して（θ2＋θ3）の角度で傾斜した直線上を移動するようにロール状の記録媒体１０２を支持する形状とされている。
【００７３】
なお、図３においては、ペーパーホルダ１１０の壁面３０２がＸ軸方向において座標（０，０）から負方向となる方向に延出する形状を例にして説明したが、ペーパーホルダ１１０の壁面３０２は、記録媒体１０２の消費にともなってロール状の記録媒体１０２の中心位置が直線状の軌跡上を移動するようにロール状の記録媒体１０２を支持する形状であればこれに限るものではない。具体的には、ペーパーホルダ１１０の壁面３０２は、Ｘ軸方向において、座標（０，０）から負方向となる方向に延出している形状に限らず、Ｘ軸方向において、正方向となる方向に延出した形状であってもよい。
【００７４】
ニアエンド検出装置が備える光反射型センサ２０９は、座標（ｘ1，ｙ1）において、ロール紙の単位時間当たりの変位量を検知することが可能な位置に設けられている。具体的には、光反射型センサ２０９を用いてロール紙の単位時間当たりの変位量を検知する場合、当該光反射型センサ２０９におけるイメージセンサ２０９ｂが、ロール状の記録媒体１０２の側面部分のうち、座標（ｘ1，ｙ1）部分の画像を読み取り可能な位置に設けられている。
【００７５】
ペーパーホルダ１１０が支持するロール状の記録媒体１０２は、消費にともなって、ロール状の記録媒体１０２の巻回中心である座標（ｘ0，ｙ0）を中心として角速度ωで回転する。巻回中心が座標（ｘ0，ｙ0）にある場合におけるロール状の記録媒体１０２の半径をＲ0、座標（ｘ0，ｙ0）から座標（ｘ1，ｙ1）までの長さをＲ1とする。
【００７６】
ニアエンド検出装置は、まず最新の読み取り画像と直前の読み取り画像とを比較して、各画像に含まれる共通部分を検出し、最新の読み取り画像における当該共通部分が直前の読み取り画像における当該共通部分に対してどれ位ずれたかを算出する。これにより、任意の半径Ｒ0における、単位時間当たりの変位量を特定することができる。
【００７７】
具体的には、ニアエンド検出装置が備える光反射型センサ２０９によって単位時間当たりのＸ軸方向の変位量とＹ軸方向の変位量を特定する。そして、特定された変位量を測定間隔時間（フレームレート）で除算することによって、座標（ｘ1，ｙ1）におけるロール状の記録媒体１０２の速度Ｖ1のＸ軸方向の成分ｖ1xとＹ軸方向の成分ｖ1yを算出する。
【００７８】
ここで、ペーパーホルダ１１０は、底面３０１がＸ軸方向に対して角度θ2で傾いており、ロール状の記録媒体１０２をＸ軸に対して（θ2＋θ3）の角度で傾斜した直線上を移動するように支持している。このため、ロール状の記録媒体１０２の中心位置は、ｙ＝ｔａｎ（θ2＋θ3）ｘで示される線上に存在する。ｔａｎ（θ2＋θ3）は一定であるため定数αとすると、ロール状の記録媒体１０２の中心位置は、ｙ＝αｘで示される一次直線上に存在する。
【００７９】
光反射型センサ２０９の読み取り位置が座標（ｘ1，ｙ1）、ロール状の記録媒体１０２の半径がＲ0、ロール状の記録媒体１０２の巻回中心位置が座標（ｘ0，ｙ0）にある場合、座標（ｘ0，ｙ0）から座標（ｘ1，ｙ1）までの長さをＲ1とすると、ロール状の記録媒体１０２の角速度ωとロール状の記録媒体１０２の外表面における速度Ｖ0は、以下の（１）式によって示すことができる。
Ｒ0ω＝Ｖ0      ・・・（１）
【００８０】
この速度Ｖ0は、印字部１２０におけるプラテン１２２が回転することによって、記録媒体１０２をペーパーホルダ１１０から引き出す速度と等しい。すなわち、速度Ｖ0は、プリンタ１００において既知の値とされる。
【００８１】
光反射型センサ２０９の読み取り位置におけるロール状の記録媒体１０２の速度Ｖ1は、図３における（ｖ1x，ｖ1y）で示すと、Ｖ1＝√（（ｖ1x）2＋（ｖ1y）2）であるとして、以下の（２）式が成立する。
Ｒ1ω＝Ｖ1      ・・・（２）
【００８２】
図３におけるＶ1とｖ1yとの角度をθ1とすると、座標（ｘ0，ｙ0）より座標（ｘ1，ｙ1）へ引いた直線とｘ軸とがなす角度もθ1となる。これにより、以下の（３）式、（４）式が成立する。
Ｒ1ｓｉｎθ1＋ｙ1＝ｙ0      ・・・（３）
ｘ1＋Ｒ1ｃｏｓθ1＝ｘ0      ・・・（４）
【００８３】
また、Ｖ1とｖ1xとｖ1yとの関係は、角度θ1を用いると以下の（５）式、（６）式によって示すことができる。
Ｖ1ｓｉｎθ1＝ｖ1x      ・・・（５）
Ｖ1ｃｏｓθ1＝ｖ1y      ・・・（６）
【００８４】
（１）式、（２）式より、以下の（７）式が成立する。
Ｒ0＝（Ｖ0／Ｖ1）Ｒ1      ・・・（７）
【００８５】
ロール状の記録媒体１０２の中心位置はｙ＝ｔａｎ（θ2＋θ3）ｘ上を移動するため、ロール状の記録媒体１０２の中心位置が座標（ｘ0，ｙ0）にある場合以下の（８）式が成立する。
ｙ0＝αｘ0＝ｔａｎ（θ2＋θ3）ｘ0      ・・・（８）
【００８６】
そして、（５）式、（６）式、（８）式より、以下の（９）式が成立する。
Ｒ1＝（αｘ1−ｙ1）／（ｓｉｎθ1−αｃｏｓθ1）      ・・・（９）
【００８７】
（５）式、（６）式、（７）式、（９）式より、以下の（１０）式が成立する。
Ｒ0＝｛Ｖ0（αｘ1−ｙ1）｝／（ｖ1x＋αｖ1y）      ・・・（１０）
【００８８】
上記の方法によって、ペーパーホルダ１１０に支持されたロール状の記録媒体１０２の外径寸法を精度よく算出することができる。記録媒体１０２の残量は、記録媒体１０２の外径寸法に基づいて推定することが可能であるため、記録媒体１０２の外径寸法の算出精度の向上を図ることにより記録媒体１０２の残量の推定精度の向上を図ることができる。
【００８９】
また、上記の方法によって、ペーパーホルダ１１０に支持されたロール状の記録媒体１０２の外径寸法を算出することにより、記録媒体１０２の外径寸法の算出を任意のタイミングでおこなうことができる。そして、任意のタイミングで精度よく推定される記録媒体１０２の残量を報知することによって、プリンタ１００の使用者に対する記録媒体１０２の残量のきめ細やかな通知が可能となる。
【００９０】
以上説明したように、この実施の形態のニアエンド検出装置は、自重によって鉛直方向下側に付勢されるロール状の記録媒体１０２の外周面を、当該記録媒体１０２の消費にともなって当該記録媒体１０２の中心位置が直線状の軌跡上を移動するように支持する記録媒体支持部の一例としてのペーパーホルダ１１０と、ペーパーホルダ１１０における側面の所定の位置に設けられ、記録媒体１０２の消費にともなってペーパーホルダ１１０の外に引き出されることによって回転する記録媒体１０２の所定の位置（この実施の形態においては座標（ｘ1，ｙ1））に対向した位置における単位時間当たりの変位量を検知する変位量検知手段の一例としての光反射型センサ２０９と、光反射型センサ２０９が検知した変位量に基づいて、当該光反射型センサ２０９による検知時の記録媒体１０２の半径を算出する算出手段の一例としての制御部２０１と、を備えたことを特徴としている。
【００９１】
この実施の形態のニアエンド検出装置によれば、消費にともなってペーパーホルダ１１０において回転する記録媒体１０２の座標（ｘ1，ｙ1）における変位量に基づいて、当該変位量の検知時における記録媒体１０２の半径を正確に算出することができる。
【００９２】
また、この実施の形態のニアエンド検出装置によれば、ペーパーホルダ１１０におけるロール状の記録媒体１０２の外周面の速度Ｖ0、すなわち、ペーパーホルダ１１０から記録媒体１０２を引き出す速度が一定である場合も、適宜変化した場合にも、光反射型センサ２０９によって変位量を検知する都度、ペーパーホルダ１１０において回転する記録媒体１０２の座標（ｘ1，ｙ1）における変位量を正確に検知することができる。これによって、速度Ｖ0が一定であるか否かにかかわらず、変位量の検知時における記録媒体１０２の半径を正確に算出することができる。
【００９３】
すなわち、この実施の形態のニアエンド検出装置によれば、光反射型センサ２０９による座標（ｘ1，ｙ1）における変位量の検知時における記録媒体１０２の半径を正確に算出することができるので、記録媒体１０２の残量の識別精度の向上を図ることができる。
【００９４】
また、この実施の形態のニアエンド検出装置は、制御部２０１が、座標（ｘ1，ｙ1）に対向した位置における記録媒体１０２の速度を算出し、算出した速度に基づいて座標（ｘ1，ｙ1）に対向した位置と中心位置の座標（ｘ0，ｙ0）との距離Ｒ1を算出し、算出した距離Ｒ1と記録媒体１０２の回転軸に直交する面内において中心位置の座標（ｘ0，ｙ0）の移動軌跡をあらわす一次式とに基づいて、Ｘ−Ｙ座標系が特定する面内における中心位置の座標（ｘ0，ｙ0）を特定し、特定した中心位置の座標（ｘ0，ｙ0）に基づいて光反射型センサ２０９による検知時の記録媒体１０２の半径を算出することを特徴としている。
【００９５】
この実施の形態のニアエンド検出装置によれば、ペーパーホルダ１１０を、記録媒体１０２の消費にともなって当該記録媒体１０２の中心位置が直線状の軌跡をなすように構成することによって、変位量を検知するだけで当該変位量の検知時における記録媒体１０２の半径を正確に算出することができる。
【００９６】
また、この実施の形態のニアエンド検出装置は、制御部２０１が算出した記録媒体１０２の半径に基づいて、記録媒体１０２の残量を報知する報知手段の一例としての液晶表示部２０４、音声出力装置２０５を備えたことを特徴としている。
【００９７】
この実施の形態のニアエンド検出装置によれば、精度よく識別した記録媒体１０２の残量を報知することができる。これによって、プリンタ１００の利用者に対して、記録媒体１０２の残量を精度よく把握させることができる。
【００９８】
また、この実施の形態のプリンタ１００は、ペーパーホルダ１１０から供給された記録媒体１０２に対する印字をおこなう印字部１２０と、上記のロール状の記録媒体１０２のニアエンド検出装置と、を備えたことを特徴としている。
【００９９】
この実施の形態のプリンタ１００によれば、精度よく残量の判定がなされた記録媒体１０２に対して印字をおこなうことができるので、たとえば記録媒体１０２の残量と印字量との関係やプリンタ１００の使用状況（忙しいかどうか、など）に応じて、ロール状の記録媒体１０２の交換作業を適切なタイミングでおこなうことができるように支援することができる。
【０１００】
これによって、印字の途中で記録媒体１０２が不足する事態を発生させたり、繁忙中に他の業務に優先させて記録媒体１０２の交換をおこなったりさせることを回避することができる。
【０１０１】
具体的には、たとえば印字の途中で記録媒体１０２が不足した場合、再度印字をやり直したり、やり直すことにより印字作業が完了するまでの時間が通常よりも長くなったりして、当該印字作業を含む作業全体の効率を低下させてしまう。
【０１０２】
また、具体的には、たとえば印字量に対して記録媒体１０２の残量が十分であるにもかかわらず記録媒体１０２の正確な残量が不明であるために、印字の途中で記録媒体１０２が不足することを避けるために繁忙中に他の業務に優先させて記録媒体１０２の交換をおこなった場合、当該交換作業を不急のタイミングでおこなったために、印字作業が完了するまでの時間が却って長くなり、当該印字作業を含む作業全体の効率を低下させてしまう。
【０１０３】
これに対し、この実施の形態のプリンタ１００によれば、ロール状の記録媒体１０２の交換作業を適切なタイミングでおこなうことができるので、記録媒体１０２の交換をおこなうことに起因して印字作業を含む作業全体の効率が低下することを防止できる。
【産業上の利用可能性】
【０１０４】
以上のように、この発明にかかるロール状記録媒体のニアエンド検出装置およびプリンタは、ロール状に回巻された記録媒体の残量を検出するためのロール状記録媒体のニアエンド検出装置および当該ロール状記録媒体のニアエンド検出装置を備えたプリンタに有用であり、特に、ロール状に回巻された記録媒体の残量の任意のタイミングでの検出精度が要求されるロール状記録媒体のニアエンド検出装置および当該ロール状記録媒体のニアエンド検出装置を備えたプリンタに適している。
【符号の説明】
【０１０５】
１００  プリンタ
１１０  ペーパーホルダ
１２０  印字部
１３０  カッタ部
２０１  制御部
【図１】
2010280494.tif 000003
【図２】
2010280494.tif 000004
【図３】
2010280494.tif 000005